(57)【要約】【課題】従来の失禁用パンツは股間部やその周辺に吸収性パッドや撥水性生地が縫い付けられているので、着用すると圧迫感があったり、蒸れやすかったりして、どうしても着用感が悪い。【解決手段】パンツ型下着１を着用すると、股間部が開口５に対応した位置にくる。従って、尿漏れや放尿後において尿の切れが悪い場合でも、漏れた尿はカバー７を通過して吸収シート１１に速やかに吸収されて、吸収シート１１に保持される。この吸収性シート１１はトイレで適宜交換し、使用済みのものは水性トイレに流して処分する。また、股間部が開口５に対応し、股間部は薄手のカバー７に覆われ、しかもカバー７の左右両端と下着本体３との間に隙間が形成されるので、通気性が良く股間部やその周辺が蒸れるのを防止することができる。【選択図】        図１
2006322100.tif 000002
【特許請求の範囲】
【請求項１】
下着本体と、前記下着本体の少なくとも股間部に対応する位置に形成された開口と、前記開口を覆う位置に固定され、且つ左右両端と下着本体との間が開放されたカバーと、前記カバーに収容され交換可能な吸収性シートとを有することを特徴とするパンツ型下着。
【請求項２】
請求項１のパンツ型下着において、カバーは下着本体に対し着脱自在であることを特徴とするパンツ型下着。
【発明の詳細な説明】
【技術分野】
【０００１】
本発明はパンツ型下着に係り、特に軽い尿漏れに対応できるパンツ型下着に関するものである。
【背景技術】
【０００２】
高齢や疾病の他、特段の原因がなくても軽い尿漏れがある者や放尿後の尿の切れが悪い者は意外と多いものである。このような者が失禁用パンツを着用するのは抵抗がある。例えば特許文献１に記載された失禁用パンツは股間部に吸収性パッド、更に撥水性生地が縫い付けられている。
【０００３】
【特許文献１】特開２００４−１０５４８５
【発明の開示】
【発明が解決しようとする課題】
【０００４】
しかしながら、上記従来の失禁用パンツはある程度以上の量の尿漏れに対応するものであり、このため失禁用パンツは股間部やその周辺に吸収性パッドや撥水性生地が縫い付けられている。従って、着用すると圧迫感があったり、蒸れやすかったりして、どうしても着用感が悪いという欠点がある。
本発明は上記従来の問題点に着目して為されたものであり、ある程度の尿漏れや放尿後の切れが悪い場合に対応でき、しかも着用者に爽快感、即ちフンドシの開放感とパンツの安定感を与え、だれにでも抵抗無く着用することができ、さらに新しいファッション性を備えたパンツ型下着を提供することを目的とする。
【課題を解決するための手段】
【０００５】
本発明は上記課題を解決するためになされたものであり、請求項１の発明は、下着本体と、前記下着本体の少なくとも股間部に対応する位置に形成された開口と、前記開口を覆う位置に固定され、且つ左右両端と下着本体との間が開放されたカバーと、前記カバーに収容され交換可能な吸収性シートとを有することを特徴とするパンツ型下着である。
【０００６】
請求項２の発明は、請求項１のパンツ型下着において、カバーは下着本体に対し着脱自在であることを特徴とするパンツ型下着である。
【発明の効果】
【０００７】
本発明のパンツ型下着によれば、ある程度の尿漏れや放尿後の切れが悪い場合に対応できる。また、着用者に爽快感を与えるのである。さらにだれでも抵抗無く着用することが可能である。
【発明を実施するための最良の形態】
【０００８】
本発明の実施の形態１に係るパンツ型下着１を図１から図３にしたがって説明する。
符号３は綿布によって構成された下着本体を示し、この下着本体３はトランクス形で股間部から下腹部に対応する位置に開口５が形成されている。下着本体３の上端部には後記するカバー７に重なる部分を除き、ゴム紐が縫い付けられており伸縮部１０が形成されている。即ち下着本体３の上端部のカバー７に重なる部分は伸縮部１０が欠落している。
下着本体３には下方へいくに従って幅寸法が徐々に小さくなる綿布によって構成されたカバー７が取り付けられており、このカバー７によって開口５が覆われている。カバー７は下着本体３を構成する綿布によって構成されている。
カバー７は、その上端部と下端部のみが下着本体３に縫い付けられている。従って、図３に示すようにカバー７の左右両端と下着本体３との間に隙間８ができ、カバー７の左右両端と下着本体３との間は僅かに開放された状態となる。
【０００９】
カバー７には収容ポケット９が設けられており、この収容ポケット９は下着本体３の開口５に対応する位置に形成されている。収容ポケット９には吸収性シート１１が収容される。吸収性シート１１はパルプ等によって構成され、高い吸水性を有し、且つ吸収した水分を保持する保水性を備えている。また、吸収性シート１１は水溶性であり、水洗トイレに流すことが可能である。
【００１０】
このパンツ型下着１を着用すると、股間部が開口５に対応した位置にくる。従って、尿漏れや放尿後において尿の切れが悪い場合でも、漏れた尿はカバー７を通過して吸収シート１１に速やかに吸収され、吸収シート１１に保持される。この吸収性シート１１はトイレで使用済みのものを収容ポケット９から出し、水洗トイレに流して処分し、新しい吸収性シート１１を収容ポケット１１へ入れて交換する。このように収容性シート１１は適宜交換するので、パンツ型下着１は常に清潔で、股間部が濡れた不快な感じがすることもない。
また、股間部が開口５に対応し、股間部は薄手のカバー７に覆われ、しかも前述にようにカバー７の左右両端と下着本体３との間に隙間８が形成されるので、通気性が良く股間部やその周辺が蒸れるのを防止することができる。
従って、パンツ型下着１は常に清潔に保つことができ、圧迫感が無くて履き心地が良く、装着者に爽快感を与えることになる。
【００１１】
本発明の実施の形態２に係るパンツ型下着３１を図１から図４にしたがって説明する。
パンツ型下着３１は実施の形態１に係るパンツ型下着１とほぼ同様の構成を有するので、その相違点についてのみ説明し、同様の構成部分については実施の形態１と同じ符号を付して、その説明を省略する。
【００１２】
パンツ型下着３１の下着本体３には開口５が形成されている。カバー７の上下の端部に面ファスナーの雄側部が３３、３５が固定され、また下着本体３には面ファスナーの雌側部３７、３９が固定されている。面ファスナーの雌側部３７、３９は雄側部３３、３５に対応し、雌側部３７、３９と雄側部３３、３５とが係合して、カバー７は開口５を覆う位置に固定される。またカバー７は面ファスナーを介して下着本体３に固定されるので着脱自在であり、必要に応じてカバー７を交換することが可能である。なお、下着本体３の面ファスナーの雌側部３７が取り付けられた部分には伸縮部１０が設けられていないので、この部分は伸縮しない。従って、面ファスナーの雌側部３７と雌側部３３との係合が外れることはなく、カバー７が不用意に外れるのを防止することができる。
【００１３】
以上、本発明の実施の形態について詳述してきたが、具体的構成は、この実施の形態に限られるものではなく、本発明の要旨を逸脱しない範囲における設計の変更などがあっても発明に含まれる。
例えば、下着本体３、カバー７は綿布以外の合成繊維によって構成しても良く、特にカバー７は速乾性で抗菌性を有する合成繊維等によって構成しても良い。また、吸収性シート１１はより吸収性能及び保水性能を高めるために、パルプの他に高分子材料を混合しても良い。
なお、上記実施の形態ではトランクス形の下着本体３を示したが、本発明はこれに限定されず、下着本体をブリーフ形、女性用のパンティ形等にしてもよいのは勿論である。
【図面の簡単な説明】
【００１４】
【図１】本発明の実施の形態１に係るパンツ型下着の斜視図である。
【図２】図１に示すパンツ型下着のカバーの一部を破断して除いた状態の正面図である。
【図３】図１に示すパンツ型下着の側面図である。
【図４】本発明の実施の形態２に係るパンツ型下着の斜視図である。
【符号の説明】
【００１５】
１、３１  パンツ型下着          ３  下着本体
５  開口      ７  カバー        
８  隙間        １０  伸縮部
９  収容ポケット        １１  吸収性シート
３３、３５  面ファスナーの雄側部
３７、３９  面ファスナーの雌側部
【図１】
2006322100.tif 000003
【図２】
2006322100.tif 000004
【図３】
2006322100.tif 000005
【図４】
2006322100.tif 000006